(57)【要約】【課題】記録対象情報の内容が新たに更新されていたとしても、当該更新された後の最新の内容を容易に取得することができる記録装置及び記録再生システムを提供する。【解決手段】所定の格納場所に格納された記録対象のメディア情報をディスクＤに記録するメディア書き込み部３０７と、このメディア書き込み部３０７でディスクＤに記録されるメディア情報の格納場所情報を、情報を記憶するＩＣ回路部１５０と情報の送受信を行うアンテナ１５１とを備えディスクＤに設けた無線タグ回路素子Ｔｏに記録する制御回路３０２、高周波回路３０１及びアンテナ３０６とを有する。【選択図】図２
2008112351.tif 000002
【特許請求の範囲】
【請求項１】
電子的に所定の格納場所に格納された記録対象の情報を記録媒体に記録する情報記録手段と、
この記録手段で前記記録媒体に記録される前記記録対象情報の格納場所情報を、情報を記憶するＩＣ回路部と情報の送受信を行うタグ側アンテナとを備え前記記録媒体に設けた無線タグ回路素子、又は、当該記録媒体に記録する格納場所記録手段と
を有することを特徴とする記録装置。
【請求項２】
請求項１記載の記録装置において、
前記格納場所記録手段は、
前記格納場所情報に加え、前記記録対象情報の履歴情報を前記無線タグ回路素子又は前記記録媒体に記録する
ことを特徴とする記録装置。
【請求項３】
請求項１又は請求項２記載の記録装置において、
前記格納場所記録手段は、
前記格納場所情報としてのネットワークアドレスを、前記無線タグ回路素子又は前記記録媒体に記録する
ことを特徴とする記録装置。
【請求項４】
請求項１乃至請求項３のいずれか１項記載の記録装置において、
前記格納場所記録手段は、
前記記録対象情報の識別情報を、前記無線タグ回路素子又は前記記録媒体に記録する
ことを特徴とする記録装置。
【請求項５】
請求項１乃至請求項４のいずれか１項記載の記録装置において、
前記格納場所記録手段は、
複数のファイルを備えた前記記録対象情報の各ファイルごとの前記格納場所情報を、前記無線タグ回路素子又は前記記録媒体に記録する
ことを特徴とする記録装置。
【請求項６】
請求項５記載の記録装置において、
前記記録対象情報へのアクセス又はアクセス後の各種処理に関する権限情報を、前記無線タグ回路素子又は前記記録媒体に記録する権限記録手段を有する
ことを特徴とする記録装置。
【請求項７】
請求項６記載の記録装置において、
権限設定指示信号を入力し、これに対応して前記権限情報の設定を行う権限情報設定手段
を有し、
前記権限記録手段は、
前記権限情報設定手段で設定された権限情報を、前記無線タグ回路素子又は前記記録媒体に記録する
ことを特徴とする記録装置。
【請求項８】
請求項７記載の記録装置において、
前記権限情報設定手段は、
複数の操作者及び前記複数のファイルに対応させて、前記記録対象情報へのアクセス又は前記アクセス後の各種処理の可否を設定可能に構成されている
ことを特徴とする記録装置。
【請求項９】
請求項１乃至請求項８のいずれか１項記載の記録装置において、
前記格納場所記録手段は、
前記無線タグ回路素子と無線通信を介し情報送受信を行うための第１通信手段と、
この第１通信手段を介し、前記無線タグ回路素子の前記ＩＣ回路部に、前記格納場所情報又はこれに対応する情報の書き込みを行う書き込み制御手段と
を有することを特徴とする記録装置。
【請求項１０】
電子的に所定の格納場所に格納された記録対象の情報を記録媒体に記録する情報記録手段と、
前記記録媒体に記録された前記記録対象情報を再生する情報再生手段と、
前記記録媒体に設けられ、情報を記憶するＩＣ回路部と情報の送受信を行うアンテナとを備えた無線タグ回路素子と無線通信を介し情報送受信を行うための第２通信手段と、
この第２通信手段を介し、前記無線タグ回路素子の前記ＩＣ回路部に記憶された前記記録対象情報の格納場所情報又はこれに対応する情報を取得する格納場所取得手段と、
この格納場所取得手段で取得した情報を用いて前記記録対象情報の格納場所へアクセスし、その格納場所における記録対象情報の内容が前記情報記録手段による前記記録媒体への記録後に更新されているかどうかを判定する更新判定手段と
を有することを特徴とする記録再生システム。
【請求項１１】
請求項１０記載の記録再生システムにおいて、
前記更新判定手段で前記記録媒体への記録後に更新されていると判定された場合、その更新後の記録対象情報の内容を前記格納場所より取得する記録対象情報取得手段
を有することを特徴とする記録再生システム。
【請求項１２】
請求項１０又は請求項１１記載の記録再生システムにおいて、
前記第２通信手段を介し、前記無線タグ回路素子の前記ＩＣ回路部に記憶された前記記録対象情報の権限情報又はこれに対応する情報を取得する権限取得手段と、
この権限取得手段で取得した情報に基づき、前記情報再生手段による再生動作を制限制御可能な再生制御手段
とを有することを特徴とする記録再生システム。
【発明の詳細な説明】
【技術分野】
【０００１】
本発明は、記録媒体に映像や電子ファイル等の記録対象の情報を記録する記録装置及び記録再生システムに関する。
【背景技術】
【０００２】
従来より、映像や電子ファイル等の記録対象である情報を記録した磁気ディスクや光ディスク等の記録媒体より、上記記録対象情報を読み出す記録再生システムが知られている。例えば、特許文献１には、文書データが記録された磁気ディスクから当該記録された文書データを読み出す記録再生システム（文書データ処理装置）が開示されている。
【０００３】
【特許文献１】特開平９−１３４３４６号公報
【発明の開示】
【発明が解決しようとする課題】
【０００４】
上記従来技術では、磁気ディスクに記録された文書データを読み出し取得することが可能である。このとき、記録対象である文書データが例えば相場情報等の時々刻々と更新される情報を含むような場合、上記従来技術では文書データを磁気ディスクに記録した後に更新された情報については取得することができず、更新後の最新の情報を取得することができなかった。
【０００５】
本発明の目的は、記録対象情報の内容が新たに更新されていたとしても、当該更新された後の最新の内容を容易に取得することができる記録装置及び記録再生システムを提供することにある。
【課題を解決するための手段】
【０００６】
上記目的を達成するために、第１の発明は、電子的に所定の格納場所に格納された記録対象の情報を記録媒体に記録する情報記録手段と、この記録手段で前記記録媒体に記録される前記記録対象情報の格納場所情報を、情報を記憶するＩＣ回路部と情報の送受信を行うタグ側アンテナとを備え前記記録媒体に設けた無線タグ回路素子、又は、当該記録媒体に記録する格納場所記録手段とを有することを特徴とする。
【０００７】
本願第１発明においては、情報記録手段が記録対象情報を記録媒体に記録するとき、その記録対象情報が格納されている格納場所情報が、格納場所記録手段によって記録媒体に設けた無線タグ回路素子又は記録媒体自体に記録される。これにより、無線タグ回路素子又は記録媒体に記録されたその格納場所情報を用いて記録対象情報の格納場所にアクセスすることで、当該記録対象情報の内容がその後（情報記録手段による記録実行後）更新されたかどうかを容易に確認することができる。この結果、記録対象情報の内容が新たに更新されていたとしても、当該更新された後の最新の内容を容易に取得することが可能となる。
【０００８】
第２の発明は、上記第１発明において、前記格納場所記録手段は、前記格納場所情報に加え、前記記録対象情報の履歴情報を前記無線タグ回路素子又は前記記録媒体に記録することを特徴とする。
【０００９】
これにより、無線タグ回路素子又は記録媒体に記録された履歴情報に記された履歴情報と、格納場所情報を用いてアクセスした格納場所に格納されている記録対象情報の履歴情報とを比較し、記録対象情報の内容がその後（情報記録手段による記録実行後）更新されたかどうかを確実に確認することができる。
【００１０】
第３の発明は、上記第１又は第２発明において、前記格納場所記録手段は、前記格納場所情報としてのネットワークアドレスを、前記無線タグ回路素子又は前記記録媒体に記録することを特徴とする。
【００１１】
無線タグ回路素子又は記録媒体に記録された例えばＵＲＩ（Ｕｎｉｆｏｒｍ  Ｒｅｓｏｕｒｃｅ  Ｉｄｅｎｔｉｆｉｅｒ）などのネットワークアドレスを用いて記録対象情報の格納場所にアクセスすることで、当該記録対象情報の内容がその後（情報記録手段による記録実行後）更新されたかどうかを容易に確認することができる。
【００１２】
第４の発明は、上記第１乃至第３発明のいずれかにおいて、前記格納場所記録手段は、前記記録対象情報の識別情報を、前記無線タグ回路素子又は前記記録媒体に記録することを特徴とする。
【００１３】
これにより、操作者に対し記録対象情報のファイル種類、番号、名称等を等を明確に示すことが可能となり、さらに利便性を向上することができる。
【００１４】
第５の発明は、上記第１乃至第４発明のいずれかにおいて、前記格納場所記録手段は、複数のファイルを備えた前記記録対象情報の各ファイルごとの前記格納場所情報を、前記無線タグ回路素子又は前記記録媒体に記録することを特徴とする。
【００１５】
これにより、記録対象情報に含まれる複数のファイルが、各ファイルごとに別々の格納場所に格納されている場合であっても、各格納場所にアクセスすることで、内容がその後（情報記録手段による記録実行後）更新されたかどうかを各ファイルごとに容易に確認することができる。
【００１６】
第６の発明は、上記第５発明において、前記記録対象情報へのアクセス又はアクセス後の各種処理に関する権限情報を、前記無線タグ回路素子又は前記記録媒体に記録する権限記録手段を有することを特徴とする。
【００１７】
これにより、操作者の記録媒体管理態様や再生装置の使用態様等に応じ、例えば子供部屋と大人部屋の再生装置で記録媒体（コンテンツ）の再生範囲を変更したり、日本と米国の再生装置で再生範囲を変更したりといったように、人物別若しくは処理動作別又は再生装置別に、実行できる処理範囲を設定することが可能となり、さらに多種多様な管理が可能となる。
【００１８】
第７の発明は、上記第６発明において、権限設定指示信号を入力し、これに対応して前記権限情報の設定を行う権限情報設定手段を有し、前記権限記録手段は、前記権限情報設定手段で設定された権限情報を、前記無線タグ回路素子又は前記記録媒体に記録することを特徴とする。
【００１９】
これにより、例えば記録対象情報データのダウンロードが可能な者を限定的に指定したり、あるいは各人物毎に処理動作別の権限範囲設定をしたり、若しくは人物識別をせずに各処理動作別にパスワードを設定する等、操作者の記録媒体管理態様等に応じ、人物別あるいは処理動作別に実行できる処理範囲を設定することができる。
【００２０】
第８の発明は、上記第７発明において、前記権限情報設定手段は、複数の操作者及び前記複数のファイルに対応させて、前記記録対象情報へのアクセス又は前記アクセス後の各種処理の可否を設定可能に構成されていることを特徴とする。
【００２１】
これにより、各操作者ごと若しくは各ファイルごとに、実行できる処理範囲を設定し、多種多様な管理を行うことができる。
【００２２】
第９の発明は、上記第１乃至第８発明のいずれかにおいて、前記格納場所記録手段は、前記無線タグ回路素子と無線通信を介し情報送受信を行うための第１通信手段と、この第１通信手段を介し、前記無線タグ回路素子の前記ＩＣ回路部に、前記格納場所情報又はこれに対応する情報の書き込みを行う書き込み制御手段とを有することを特徴とする。
【００２３】
本願第９発明においては、情報記録手段が記録対象情報を記録媒体に記録するとき、その記録対象情報が格納された格納場所情報が、第１通信手段を介し、書き込み制御手段によって、記録媒体に設けた無線タグ回路素子のＩＣ回路部に書き込まれる。
【００２４】
これにより、無線タグ回路素子のＩＣ回路部に記憶されたその格納場所情報を用いて記録対象情報の格納場所にアクセスすることで、当該記録対象情報の内容がその後（情報記録手段による記録実行後）更新されたかどうかを容易に確認することができる。この結果、記録対象情報の内容が新たに更新されていたとしても、当該更新された後の最新の内容を容易に取得することが可能となる。
【００２５】
上記目的を達成するために、第１０の発明は、電子的に所定の格納場所に格納された記録対象の情報を記録媒体に記録する情報記録手段と、前記記録媒体に記録された前記記録対象情報を再生する情報再生手段と、前記記録媒体に設けられ、情報を記憶するＩＣ回路部と情報の送受信を行うアンテナとを備えた無線タグ回路素子と無線通信を介し情報送受信を行うための第２通信手段と、この第２通信手段を介し、前記無線タグ回路素子の前記ＩＣ回路部に記憶された前記記録対象情報の格納場所情報又はこれに対応する情報を取得する格納場所取得手段と、この格納場所取得手段で取得した情報を用いて前記記録対象情報の格納場所へアクセスし、その格納場所における記録対象情報の内容が前記情報記録手段による前記記録媒体への記録後に更新されているかどうかを判定する更新判定手段とを有することを特徴とする。
【００２６】
本願第１０発明においては、記録対象の情報が情報記録手段によって記録媒体に記録され、またその記録された記録対象情報は情報再生手段によって再生される。このとき、記録媒体には無線タグ回路素子が設けられており、情報記録手段により記録媒体に記録された記録対象情報が格納された格納場所情報（又はこれに対応する情報）がその無線タグ回路素子のＩＣ回路部に書き込まれている。このＩＣ回路部の格納場所情報（又はこれに対応する情報）は、第２通信手段を介し格納場所取得手段によって取得され、さらに更新判定手段がその取得された情報を用いて記録対象情報の格納場所にアクセスし、当該記録対象情報の内容が情報記録手段による記録実行後更新されたかどうかを判定する。これにより、記録対象情報の内容が記録後新たに更新されていたとしても、当該更新された後の最新の内容を容易に取得することができる。
【００２７】
第１１の発明は、上記第１０発明において、前記更新判定手段で前記記録媒体への記録後に更新されていると判定された場合、その更新後の記録対象情報の内容を前記格納場所より取得する記録対象情報取得手段を有することを特徴とする。
【００２８】
これにより、記録対象情報の内容が記録後新たに更新されていたとしても、記録対象情報取得手段で当該更新された後の最新の内容を確実に取得することができる。
【００２９】
第１２の発明は、上記第１０又は第１１発明において、前記第２通信手段を介し、前記無線タグ回路素子の前記ＩＣ回路部に記憶された前記記録対象情報の権限情報又はこれに対応する情報を取得する権限取得手段と、この権限取得手段で取得した情報に基づき、前記情報再生手段による再生動作を制限制御可能な再生制御手段とを有することを特徴とする。
【００３０】
これにより、操作者の記録媒体管理態様等に応じ、情報再生手段での再生可能範囲を、例えば人物別あるいはファイル別等に設定することができるので、さらに多種多様な管理が可能となる。その結果、例えば同一の記録媒体に記録された記録対象情報であっても、人物に応じて適設に設定された記録対象情報を再生させることが可能となる。
【発明の効果】
【００３１】
本発明によれば、記録対象情報の内容が新たに更新されていたとしても、当該更新された後の最新の内容を容易に取得することができる。
【発明を実施するための最良の形態】
【００３２】
以下、本発明の一実施の形態を図面を参照しつつ説明する。
【００３３】
図１は、本実施形態の記録再生装置３００（記録装置、記録再生システム）を含むメディア記録再生システム全体を表すシステム構成図である。
【００３４】
図１に示すメディア記録再生システム１は、情報を記憶するＩＣ回路部１５０とこのＩＣ回路部１５０に接続されるアンテナ１５１（タグ側アンテナ）とを備えた無線タグ回路素子Ｔｏ（後述の図４参照）を添付された例えばＣＤ、ＤＶＤ等のディスクＤ（記録媒体）に対しメディア情報（映像や電子ファイル等）の記録及び再生を行うための上記記録再生装置３００と、この記録再生装置３００と例えばＵＳＢケーブル等の接続手段２を介して接続され、表示部１０１及び操作部１０２等を有するＰＣ端末（又は汎用コンピュータ。以下、「ＰＣ」と記載）１００とを備えている。
【００３５】
図２は、上記メディア記録再生システム１を構成するＰＣ１００及び記録再生装置３００の詳細機能を表す機能ブロック図である。
【００３６】
この図２において、ＰＣ１００は、各種入力画面等の所定の表示を行うための上記表示部１０１と、操作者が操作入力を行うための適宜のボタン、キー、マウス等を備えた上記操作部１０２と、上記ディスクＤに記録するメディア情報（映像や電子ファイル等）や各種アプリケーション等が格納され例えばハードディスク等で構成される記憶部１０３と、上記記録再生装置３００との間で接続手段２を介して行われる通信の制御を行うインターフェース制御部１０４と、これら表示部１０１、操作部１０２、記憶部１０３及びインターフェース制御部１０４を含むＰＣ１００全体の動作を制御する制御回路１０５とを有する。
【００３７】
一方、記録再生装置３００は、所定の表示を行うための表示部３０５と、操作者が操作入力を行うための適宜のボタン、キー等を備えた操作部３０９と、ディスクＤに記録するためのメディア情報（映像や電子ファイル等）や無線タグ回路素子Ｔｏに書き込むタグデータ等を一時的に格納するための例えばメモリ等で構成される記憶部３０３と、記録再生装置３００全体の制御を行う制御回路３０２と、この制御回路３０２で所定の態様に処理されたメディア情報を光ピックアップ（図示せず）に駆動信号として供給することによりデータ書き込み用のレーザ光をディスクＤに照射させ情報の書き込みを行うメディア書き込み部３０７（情報記録手段）と、上記光ピックアップがデータ読み出し用のレーザ光をディスクＤに照射したときに受光した反射光の受光出力に基づきディスクＤに記録されたメディア情報の読み出しを行うメディア読み出し部３０８（情報再生手段）と、ディスクＤに添付された無線タグ回路素子Ｔｏとの間で無線通信により情報の送受信を行うアンテナ３０６（格納場所記録手段、第１通信手段、第２通信手段）と、高周波回路３０１と、上記ＰＣ１００との間で接続手段２を介して行われる通信の制御を行うインターフェース制御部３０４とを有する。
【００３８】
上記高周波回路３０１及び制御回路３０２は、無線タグ回路素子ＴｏのＩＣ回路部１５０へのアクセス情報を生成し、アンテナ３０６を介してディスクＤに添付された無線タグ回路素子Ｔｏへ送信し、無線タグ回路素子ＴｏのＩＣ回路部１５０に対し情報の送受信を行う。また制御回路３０２は上記接続手段２を介してＰＣ１００と接続されており、このＰＣ１００と情報の送受が可能となっている。
【００３９】
図３は、上記高周波回路３０１の詳細機能を表す機能ブロック図である。この図３において、高周波回路３０１は、アンテナ３０６を介し無線タグ回路素子Ｔｏに対して信号を送信する送信部３３２と、アンテナ３０６により受信された無線タグ回路素子Ｔｏからの反射波を入力する受信部３３３と、送受分離器３３４とから構成される。
【００４０】
送信部３３２は、無線タグ回路素子ＴｏのＩＣ回路部１５０の無線タグ情報にアクセスする（読み取りを行う）ための搬送波を発生させる水晶振動子３３５、ＰＬＬ（Ｐｈａｓｅ  Ｌｏｃｋｅｄ  Ｌｏｏｐ）３３６、及びＶＣＯ（Ｖｏｌｔａｇｅ  Ｃｏｎｔｒｏｌｌｅｄ  Ｏｓｃｉｌｌａｔｏｒ）３３７と、上記制御回路３０２から供給される信号に基づいて上記発生させられた搬送波を変調（この例では制御回路３０２からの「ＴＸ＿ＡＳＫ」信号に基づく振幅変調）する送信乗算回路３３８（但し振幅変調の場合は増幅率可変アンプ等を用いてもよい）と、その送信乗算回路３３８により変調された変調波を、制御回路３０２からの「ＴＸ＿ＰＷＲ」信号によって増幅率を決定し増幅する送信アンプ３３９とを備えている。そして、上記発生される搬送波は、好適にはＵＨＦ帯の周波数を用いており、上記送信アンプ３３９の出力は、送受分離器３３４を介してアンテナ３０６に伝達されて無線タグ回路素子ＴｏのＩＣ回路部１５０に供給される。
【００４１】
受信部３３３は、アンテナ３０６により受信された無線タグ回路素子Ｔｏからの反射波と上記発生させられた搬送波とを掛け合わせる受信第１乗算回路３４０と、この受信第１乗算回路３４０の出力から必要な帯域の信号のみを取り出すための第１バンドパスフィルタ３４１と、この第１バンドパスフィルタ３４１の出力を増幅して第１リミッタ３４２に供給する受信第１アンプ３４３と、上記アンテナ３０６により受信された無線タグ回路素子Ｔｏからの反射波と上記発生された後に移相器３４９により位相を９０°ずらされた搬送波とを掛け合わせる受信第２乗算回路３４４と、その受信第２乗算回路３４４の出力から必要な帯域の信号のみを取り出すための第２バンドパスフィルタ３４５と、この第２バンドパスフィルタ３４５の出力を入力するとともに増幅して第２リミッタ３４６に供給する受信第２アンプ３４７とを備えている。そして、上記第１リミッタ３４２から出力される信号「ＲＸＳ−Ｉ」及び第２リミッタ３４６から出力される信号「ＲＸＳ−Ｑ」は、上記制御回路３０２に入力されて処理される。
【００４２】
また、受信第１アンプ３４３及び受信第２アンプ３４７の出力は、ＲＳＳＩ（Ｒｅｃｅｉｖｅｄ  Ｓｉｇｎａｌ  Ｓｔｒｅｎｇｔｈ  Ｉｎｄｉｃａｔｏｒ）回路３４８にも入力され、それらの信号の強度を示す信号「ＲＳＳＩ」が制御回路３０２に入力される。
【００４３】
図４は、上記ディスクＤに添付された無線タグ回路素子Ｔｏの機能的構成の一例を表すブロック図である。
【００４４】
図４において、無線タグ回路素子Ｔｏは、上記記録再生装置３００のアンテナ３０６と短波帯（例えば１３．５６ＭＨｚ）、ＵＨＦ帯、又はマイクロ波帯等の高周波を用いて非接触で信号の送受信を行うアンテナ１５１と、このアンテナ１５１に接続されたＩＣ回路部１５０とを有している。
【００４５】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔｏの作動を制御するための制御部１５７とを備えている。
【００４６】
変復調部１５６は、アンテナ１５１により受信された上記記録再生装置３００のアンテナ３０６からの通信信号の復調を行うと共に、上記制御部１５７からの返信信号に基づき、上記アンテナ３０６より受信された搬送波を変調反射する。
【００４７】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４８】
このような構成において、上記記録再生装置３００でディスクＤにメディア情報の記録を行おう際には、まず操作者は記録対象であるメディア情報をＰＣ１００の記憶部１０３に保存すると共に、ＰＣ１００の操作キー１１０を用いて拡張属性情報（この例ではメディア情報に対する操作者のアクセス可否情報）等の入力を行う。これにより、これらの情報を接続手段２を介して受信した記録再生装置３００では、メディア書き込み部３０７により上記受信したメディア情報のディスクＤに対する書き込みが行われると共に、高周波回路３０１により上記受信した拡張属性情報等に基づきアクセス情報が生成され装置側アンテナ３０６を介してディスクＤに添付された無線タグ回路素子Ｔｏへ送信される。その結果、ＩＣ回路部１５０へ上記拡張属性情報等（格納場所情報、履歴情報、拡張属性情報）の書き込みが行われた無線タグ回路素子Ｔｏが添付され、記録対象であるメディア情報が記録されたディスクＤが作成される。
【００４９】
一方、上記記録再生装置３００でディスクＤに記録されたメディア情報を読み出す際には、まず操作者は無線タグ回路素子Ｔｏが添付されたディスクＤを記録再生装置３００に挿入すると共に、ＰＣ１００の操作キー１１０を用いて操作者を特定するための固有の識別子である識別コード（識別ＩＤ）の入力を行う。このとき、前述したようにディスクＤの無線タグ回路素子ＴｏのＩＣ回路部１５０には拡張属性情報等が記憶保持されており、これらの情報が記録再生装置３００側に取得されることで、当該拡張属性情報及び上記識別コードに基づき上記操作者がメディア情報にアクセス（ここでは再生）可能か否かが判定される。アクセス可能の場合には、無線タグ回路素子Ｔｏから読み出した履歴情報に基づきディスクＤのメディア情報が最新であるか否かが判定されて最新の場合には当該メディア情報が再生され、最新でない場合にはＰＣ１００の記憶部１０３に更新されて格納された最新のメディア情報が読み出されて再生される拡張再生処理が行われる。一方、アクセス不可の場合には、その旨が操作者に報知される。
【００５０】
図５は、上記ディスクＤへのメディア情報の記録の際に記録再生装置３００の制御回路３０２によって実行される制御手順を表すフローチャートである。
【００５１】
この図５において、まずステップＳ５では、ＰＣ１００において操作者がメディア情報を記憶部１０３にファイル名をつけて保存したか否かを判定する。この判定は、ＰＣ１００の制御回路１０５から上記保存が行われたことに対応する信号が入力されたか否かを検出することにより行われる。保存されるまで本ステップを繰り返し、保存された場合には判定が満たされて次のステップＳ１０に移る。
【００５２】
ステップＳ１０では、上記ＰＣ１００の記憶部１０３から接続手段２を介してメディア情報を読み出し取得する。なお、この取得されたメディア情報は記憶部３０３に一時的に格納される。
【００５３】
次のステップＳ１５では、上記ＰＣ１００の記憶部１０３に保管されたメディア情報に基づき、当該メディア情報の記憶部１０３における場所を表す格納場所情報（ＵＲＩ（Ｕｎｉｆｏｒｍ  Ｒｅｓｏｕｒｃｅ  Ｉｄｅｎｔｉｆｉｅｒ）などのネットワークアドレス情報）を読み出し取得する。なお、この格納場所情報にはメディア情報の識別情報（本実施形態ではファイル名。後述の図６参照）が含まれる。また、この取得された格納場所情報は記憶部３０３に一時的に格納される。
【００５４】
次のステップＳ２０では、上記ＰＣ１００の記憶部１０３に保管されたメディア情報に基づき、当該メディア情報の作成日時（言い換えれば記憶部１０３に保存された日時）を表す履歴情報を読み出し取得する。この取得された履歴情報は記憶部３０３に一時的に格納される。なお、上記履歴情報としては作成日時に限られず、例えばメディア情報がアプリケーションソフト等である場合にはそのバージョン情報等であってもよい。
【００５５】
次のステップＳ２５では、インターフェース制御部３０４及び接続手段２を介してＰＣ１００の制御回路１０５に制御信号を出力し、当該制御回路１０５から表示部１０１に表示信号を出力させることで、表示部１０１に上記メディア情報の拡張属性情報の入力画面を表示させて、操作者に拡張属性情報の入力を促し、この入力画面に応じて操作者が操作部１０２を用いてメディア情報に関する拡張属性情報を入力したか否かを判定する。なお、この例では上記拡張属性情報は、各メディア情報に対し操作者がアクセス（ここでは再生）可能であるか否かの情報である（後述の図６参照）。入力があるまで本ステップを繰り返し、入力があった場合には判定が満たされて次のステップＳ２７に移る。
【００５６】
ステップＳ２７では、上記入力画面に応じて操作者が操作部１０２を用いて入力したメディア情報に関する拡張属性情報を、接続手段２を介してＰＣ１００から入力し取得する。
【００５７】
次のステップＳ３０では、操作者がディスクＤに記録しようとする全メディア情報について上記情報（メディア情報、格納場所情報、履歴情報、拡張属性情報）を取得したか否かを判定する。情報取得が終了していない場合には、判定が満たされずに先のステップＳ５に戻る。そして、再びステップＳ５〜ステップＳ２５を繰り返す。このとき、ステップＳ５〜ステップＳ２５を繰り返すことにより、各メディア情報に対する格納場所情報、履歴情報、及び拡張属性情報が順次取得され、記憶部３０３に後述の図６に示すようなテーブルが作成される。このようにして、全メディア情報について情報取得が終了した場合には、判定が満たされて次のステップに移る。
【００５８】
ステップＳ３５では、メディア書き込み部３０７に制御信号を出力し、上記ステップＳ１０で取得し記憶部３０３に一時的に格納した全メディア情報をディスクＤに書き込ませる。
【００５９】
次のステップＳ４０では、高周波回路３０１に制御信号を出力し、上記ステップＳ５〜ステップＳ２５を繰り返すことにより記憶部３０３に作成された上記テーブル情報（各メディア情報に対する格納場所情報、履歴情報、及び拡張属性情報）をアンテナ３０６を介しディスクＤに添付された無線タグ回路素子Ｔｏに書き込ませる。以上で本フローを終了する。
【００６０】
なお、上記フローにおいて、ステップＳ２５及びステップＳ２７は、特許請求の範囲各項記載の権限設定指示信号を入力しこれに対応して権限情報の設定を行う権限情報設定手段を構成する。また、ステップＳ４０は、第１通信手段を介し、無線タグ回路素子のＩＣ回路部に格納場所情報又はこれに対応する情報の書き込みを行う書き込み制御手段を構成する。
【００６１】
図６は、記憶部３０３に記憶される上記テーブル情報の一例を示す図である。
【００６２】
この図６において、この例ではメディア情報は複数の電子ファイルからなり、拡張属性情報は各ファイルに対し操作者Ａ，Ｂ，Ｃがそれぞれアクセス可能か否かを表している。すなわち、ファイル１に対しては操作者Ａはアクセス可能であるが、操作者Ｂ，Ｃはアクセス不可能であり、ファイル２に対しては操作者Ａ，Ｃはアクセス可能であるが、操作者Ｂはアクセス不可能であり、ファイル３に対しては操作者Ａ，Ｂはアクセス可能であるが、操作者Ｃはアクセス不可能である。また、図に示すように、各ファイルに対しそのファイルの格納場所を表す格納場所情報とそのファイルの作成日時を表す履歴情報とが記憶されている。
【００６３】
図７は、ディスクＤに記録されたメディア情報を読み出す際に記録再生装置３００の制御回路３０２によって実行される制御手順を表すフローチャートである。
【００６４】
この図７において、まずステップＳ１１０では、インターフェース制御部３０４及び接続手段２を介してＰＣ１００の制御回路１０５に制御信号を出力し、当該制御回路１０５から表示部１０１に表示信号を出力させることで、表示部１０１に操作者を特定するための識別コードの入力画面を表示させて、操作者に識別コードの入力を促し、この入力画面に応じて操作者が操作部１０２を用いて識別コードを入力したか否かを判定する。操作者により識別コードが入力された場合には、判定が満たされて次のステップＳ１２０に移る。
【００６５】
なお、上記では識別コードの入力を操作部１０２を用いて行うようにしたが、これに限られず、例えばバーコードリーダで操作者が携帯する識別コードとしてのバーコードを読み取るようにしてもよい。また、識別コードを入力するのではなく、予め各操作者ごとに定められたパスワードを入力するようにしてもよい。さらには、ＰＣ起動時に例えばユーザーアカウントを選択可能としておき、それを選択することで上記識別コードの入力の代わりとしてもよい。
【００６６】
ステップＳ１２０では、高周波回路３０１に制御信号を出力し、ディスクＤの無線タグ回路素子Ｔｏに対し記憶されたタグ情報を読み取るための信号を送信させ、これに対応して無線タグ回路素子Ｔｏから送信（返信）されたリプライ信号の中から、メディア情報に対する操作者のアクセス可否を表す上記拡張属性情報を読み出して取得する。なお、このとき上記リプライ信号に基づき無線タグ回路素子Ｔｏから読み出したタグ情報（テーブル情報。すなわち、各メディア情報に対する格納場所情報、履歴情報、及び拡張属性情報）は、記憶部３０３へ保存される。
【００６７】
次のステップＳ１３０では、上記操作者により入力された識別コードと、上記ステップＳ１２０で無線タグ回路素子Ｔｏから読み出した拡張属性情報とを比較し、操作者がメディア情報を再生可能か否かを判定する。このとき、前述の図６に示すようにメディア情報が複数のファイルから構成される場合には、操作者が入力した識別コードと各ファイルの拡張属性情報とを順次比較して１つずつ判定する。再生可能である場合には判定が満たされて次のステップＳ２００に移り、ディスクＤのメディア情報が最新である場合には当該メディア情報を再生し、最新でない場合にはＰＣ１００の記憶部１０３に格納された最新のメディア情報を読み出して再生する拡張再生処理を行う。
【００６８】
一方、上記ステップＳ１３０において操作者が再生不可である場合には、判定が満たされずにステップＳ１４０に移り、その旨を操作者に報知する。この報知は、例えばインターフェース制御部３０４及び接続手段２を介してＰＣ１００の制御回路１０５に制御信号を出力し、当該制御回路１０５から表示部１０１に表示信号を出力させて、ＰＣ１００の表示部１０１に報知画面を表示させることにより行ってもよいし、記録再生装置３００の表示部３０５に表示信号を出力して表示を行うようにしてもよい。
【００６９】
次のステップＳ１５０では、メディア情報を構成する全ファイルについて上記ステップＳ１３０及びステップＳ２００又はステップＳ１４０の手順が終了したか否かを判定する。終了していない場合には先のステップＳ１３０に戻り、次のファイルに移動してステップＳ１３０以降の手順を繰り返す。全ファイルについて終了している場合には、判定が満たされて本フローを終了する。
【００７０】
なお、上記フローにおいて、ステップＳ１２０は、特許請求の範囲各項記載の第２通信手段を介し、無線タグ回路素子のＩＣ回路部に記憶された記録対象情報の権限情報又はこれに対応する情報を取得する権限取得手段を構成し、ステップＳ１３０、ステップＳ１４０及びステップＳ２００は、権限取得手段で取得した情報に基づき情報再生手段による再生動作を制限制御可能な再生制御手段を構成する。
【００７１】
図８は、上記ステップＳ２００の詳細手順を表すフローチャートである。
【００７２】
この図８において、まずステップＳ２１０では、上記ステップＳ１２０においてリプライ信号に基づき無線タグ回路素子Ｔｏから読み出し記憶部３０３に記憶させたタグ情報（テーブル情報。すなわち、各メディア情報に対する格納場所情報、履歴情報、及び拡張属性情報）の中から、履歴情報を読み出して取得する。
【００７３】
次のステップＳ２２０では、上記ステップＳ１２０においてリプライ信号に基づき無線タグ回路素子Ｔｏから読み出し記憶部３０３に記憶させたタグ情報の中から、格納場所情報を読み出して取得する。
【００７４】
次のステップＳ２３０では、上記ステップＳ２２０で取得した格納場所情報に基づき格納場所であるＰＣ１００の記憶部１０３にアクセスし、前述したステップＳ２０と同様にして当該記憶部１０３に保管されたメディア情報の作成日時を表す履歴情報を読み出し取得する。なお、この履歴情報は、ディスクＤ作成時以後に記憶部１０３のメディア情報が更新されている場合にはその更新日時を表すものとなっている。
【００７５】
次のステップＳ２４０では、上記ステップＳ２１０で無線タグ回路素子Ｔｏから取得した履歴情報と上記ステップＳ２３０で記憶部１０３から取得した履歴情報とを比較し、メディア情報の更新があったか否かを判定する。この判定は、２つの履歴情報が同一日時であるか否かを判定することにより行われる。すなわち、同一日時であれば更新がないと判定し、異なった日時であれば更新があると判定する。更新があった場合には判定が満たされて、次のステップＳ２５０に移る。
【００７６】
ステップＳ２５０では、ＰＣ１００の記憶部１０３から接続手段２を介して更新された最新のメディア情報を読み出し取得する。なお、この取得されたメディア情報は記憶部３０３に一時的に格納される。
【００７７】
次のステップＳ２６０では、上記ステップＳ２５０で読み出したメディア情報を対応するアプリケーションを用いて再生する。このとき、インターフェース制御部３０４及び接続手段２を介してＰＣ１００の制御回路１０５に制御信号を出力し、当該制御回路１０５から表示部１０１に表示信号を出力させて、ＰＣ１００の表示部１０１に再生したメディア情報を表示させる。なお、この表示は、記録再生装置３００の表示部３０５に表示信号を出力して記録再生装置側で行うようにしてもよい。またこのとき、格納場所情報に含まれるファイル名情報を用いて当該ファイル名を表示するようにしてもよい。そして本フローを終了する。
【００７８】
なお、上記ステップＳ２４０で更新がないと判定された場合には、判定が満たされずにステップＳ２７０に移り、メディア読み出し部３０８に制御信号を出力してディスクＤに記録されたメディア情報を読み出し、対応するアプリケーションを用いて再生する。このとき、上記ステップＳ２６０と同様にして、ＰＣ１００の表示部１０１に再生したメディア情報を表示させる。なお、この表示は記録再生装置側で行うようにしてもよい。以上で本フローを終了する。
【００７９】
なお、上記フローにおいて、ステップＳ２２０は、特許請求の範囲各項記載の第２通信手段を介し、無線タグ回路素子のＩＣ回路部に記憶された記録対象情報の格納場所情報又はこれに対応する情報を取得する格納場所取得手段を構成する。また、ステップＳ２４０は、格納場所取得手段で取得した情報を用いて記録対象情報の格納場所へアクセスし、その格納場所における記録対象情報の内容が情報記録手段による記録媒体への記録後に更新されているかどうかを判定する更新判定手段を構成する。さらに、ステップＳ２５０は、更新判定手段で記録媒体への記録後に更新されていると判定された場合、その更新後の記録対象情報の内容を格納場所より取得する記録対象情報取得手段を構成する。
【００８０】
以上において、制御回路３０２、高周波回路３０１及びアンテナ３０６が特許請求の範囲各項記載の記録手段で記録媒体に記録される記録対象情報の格納場所情報を、情報を記憶するＩＣ回路部と情報の送受信を行うタグ側アンテナとを備え記録媒体に設けた無線タグ回路素子に記録する格納場所記録手段を構成するとともに、記録対象情報へのアクセス又はアクセス後の各種処理に関する権限情報を無線タグ回路素子又は記録媒体に記録する権限記録手段を構成する。
【００８１】
以上説明した本実施形態においては、メディア書き込み部３０７でメディア情報をディスクＤに記録するとき、そのメディア情報が格納されている格納場所情報がアンテナ３０６を介してディスクＤに設けた無線タグ回路素子Ｔｏに記録される。これにより、無線タグ回路素子Ｔｏに記録されたその格納場所情報を用いてメディア情報の格納場所にアクセスすることで、当該メディア情報の内容がその後（メディア書き込み部３０７による記録実行後）更新されたかどうかを容易に確認することができる。この結果、メディア情報の内容が新たに更新されていたとしても、当該更新された後の最新の内容を容易に取得することができる。
【００８２】
また、本実施形態では特に、メディア情報が格納されている格納場所情報に加え、メディア情報の作成日時を表す履歴情報を無線タグ回路素子Ｔｏに記録する。これにより、無線タグ回路素子Ｔｏに記録された履歴情報に記された履歴情報と、格納場所情報を用いてアクセスした格納場所に格納されているメディア情報の履歴情報とを比較し、メディア情報の内容がその後（メディア書き込み部３０７による記録実行後）更新されたかどうかを確実に確認することができる。
【００８３】
また、本実施形態では特に、メディア情報が格納されている格納場所情報としてＵＲＩなどのネットワークアドレス情報を無線タグ回路素子Ｔｏに記録する。これにより、ディスクＤのメディア情報読み取り時に上記ネットワークアドレスを用いてメディア情報の格納場所にアクセスすることで、当該メディア情報の内容がその後更新されたかどうかを容易に確認することができる。
【００８４】
また、本実施形態では特に、メディア情報の格納場所情報に当該メディア情報の識別情報としてのファイル名が含まれ、このファイル名が無線タグ回路素子Ｔｏに記録される。これにより、操作者に対しメディア情報のファイル名を明確に示すことが可能となり、さらに利便性を向上することができる。
【００８５】
また、本実施形態では特に、複数のファイルを備えたメディア情報の各ファイルごとの格納場所情報を無線タグ回路素子Ｔｏに記録する。これにより、メディア情報に含まれる複数のファイルが、各ファイルごとに別々の格納場所に格納されている場合であっても、各格納場所にアクセスすることで、内容がその後（メディア書き込み部３０７による記録実行後）更新されたかどうかを各ファイルごとに容易に確認することができる。
【００８６】
また、本実施形態では特に、メディア情報に対する操作者のアクセス可否を表す拡張属性情報を無線タグ回路素子Ｔｏに記録しておき、ディスク読み取り時にこの拡張属性情報を読み取り操作者コードと比較することにより、メディア情報の再生可否を判定する。これにより、例えば子供部屋と大人部屋のそれぞれに設置した再生装置でファイルの再生可否を変更したり、日本と米国のそれぞれの領域で販売する再生装置でファイルの再生可否を変更したりといったように、同一のディスクに記録されたメディア情報であっても人物や地域に応じて適設に設定されたメディア情報を再生させることができる。このように、操作者のディスク管理態様や記録再生装置の使用態様等に応じ、人物別又は再生装置別に実行できる処理を設定することが可能となり、さらに多種多様な管理を行うことができる。
【００８７】
なお、本発明は、上記の各実施形態に限られず、その趣旨と技術思想の範囲を逸脱しない範囲で更に種々の変形が可能である。以下その変形例を説明する。
【００８８】
（１）ネットワークに接続されたサーバにメディア情報を格納する場合
上記実施形態では、記録対象であるメディア情報をＰＣ１００が有する記憶部１０３に格納するようにしたが、これに限られず、ＰＣ１００の外部、例えばネットワークに接続されたデータサーバ等に格納するようにしてもよい。
【００８９】
図９は本変形例の記録再生装置３００（記録装置、記録再生システム）を含むメディア記録再生システム１全体を表すシステム構成図であり、図１０は上記メディア記録再生システム１を構成するＰＣ１００及び記録再生装置３００の詳細機能を表す機能ブロック図である。それぞれ、前述の図１及び図２に対応する図である。これらにおいて、図１及び図２と同様の部分には同符号を付し説明を省略する。
【００９０】
これら図９及び図１０に示すように、本変形例のメディア記録再生システム１は、例えばインターネット等の通信回線ＮＷを介してＰＣ１００及び記録再生装置３００のそれぞれと情報の送受可能に接続されたデータサーバ２００を有している。本変形例では、ＰＣ１００は記憶部１０３を有しておらず、ＰＣ１００において操作者によりファイル名をつけて保存されたメディア情報は通信回線ＮＷを介してデータサーバ２００に保存されるようになっている。
【００９１】
図１１は、上記ディスクＤへのメディア情報の記録の際に記録再生装置３００の制御回路３０２′（図１０参照）によって実行される制御手順を表すフローチャートであり、前述の図５に対応する図である。図５と同様の手順には、同符号を付し説明を省略する。
【００９２】
この図１０において、まずステップＳ５Ａでは、ＰＣ１００において操作者がメディア情報を通信回線ＮＷを介してデータサーバ２００にファイル名をつけて保存したか否かを判定する。保存された場合には判定が満たされて次のステップＳ１０Ａに移る。
【００９３】
ステップＳ１０Ａでは、上記データサーバ２００から通信回線ＮＷを介してメディア情報を読み出し取得する。なお、この取得されたメディア情報は記憶部３０３に一時的に格納される。
【００９４】
次のステップＳ１５Ａでは、上記データサーバ２００に保管されたメディア情報に基づき、当該メディア情報のネットワークにおける場所を表す格納場所情報（ＵＲＩ（Ｕｎｉｆｏｒｍ  Ｒｅｓｏｕｒｃｅ  Ｉｄｅｎｔｉｆｉｅｒ）などのネットワークアドレス情報）を読み出し取得する。なお、この取得された格納場所情報は記憶部３０３に一時的に格納される。
【００９５】
次のステップＳ２０Ａでは、上記データサーバ２００に保管されたメディア情報に基づき、当該メディア情報の作成日時（言い換えればデータサーバ２００に保存された日時）を表す履歴情報を読み出し取得する。なお、この取得された履歴情報は記憶部３０３に一時的に格納される。
【００９６】
次のステップＳ２５以降は前述の図５と同様であり、操作者により入力されたメディア情報に関する拡張属性情報を取得し、全メディア情報について格納場所情報、履歴情報、及び拡張属性情報を順次取得する。これにより、記憶部３０３に後述の図１２に示すようなテーブルが作成される。そして、全メディア情報をディスクＤに書き込むと共に、記憶部３０３に作成された上記テーブル情報（各メディア情報に対する格納場所情報、履歴情報、及び拡張属性情報）をアンテナ３０６を介しディスクＤに添付された無線タグ回路素子Ｔｏに書き込ませる。以上で本フローを終了する。
【００９７】
図１２は、本変形例において記憶部３０３に記憶される上記テーブル情報の一例を示す図である。この例では各ファイルに対しそのファイルの格納場所を表す格納場所情報として、データサーバ２００内の格納場所を示すネットワークアドレスが記憶されている。その他は前述の図６と同様であるので説明を省略する。
【００９８】
なお、本変形例の記録再生装置３００でディスクＤに記録されたメディア情報を読み出す際の制御については、上記実施形態と同様であるので説明を省略する。
【００９９】
以上説明した変形例においても、上記実施形態と同様の効果を得ることができる。
【０１００】
（２）その他
上記実施形態では、メディア情報以外の拡張属性情報等（格納場所情報、履歴情報、拡張属性情報）をディスクＤに添付した無線タグ回路素子Ｔｏに記録するようにしたが、これに限られず、これらの情報についてもメディア書き込み部３０７によりメディア情報と共にディスクＤに書き込み記録するようにしてもよい。この場合、メディア読み出し部３０８によるディスク読み取り時にメディア情報と共に上記拡張属性情報等（格納場所情報、履歴情報、拡張属性情報）についても読み出すようにすれば、上記実施形態と同様の制御を行うことで同様の効果を得ることができる。
【０１０１】
また、上記実施形態では、メディア情報に対する操作者のアクセス自体の可否を表す情報を拡張属性情報として無線タグ回路素子Ｔｏに書き込むようにしたが、これに限られない。すなわち、例えば操作者に応じ、アクセスは可能だが更新問合せは不可であったり、ファイルの再生は可能だがファイルの編集やダウンロードは不可であったり、再生後の画像に文字やモザイクを挿入する等、アクセス後の各種処理を制約するような情報を、拡張属性情報として無線タグ回路素子Ｔｏに書き込むようにしてもよい。さらには、人物識別をせずに各処理動作別にパスワードを設定する等も可能であり、この場合には処理動作別に実行できる処理範囲を設定することができ、メディア情報の多種多様な管理が可能となる。
【０１０２】
また、上記実施形態では、拡張属性情報等（格納場所情報、履歴情報、拡張属性情報）についてそのデータ自体をディスクＤに添付した無線タグ回路素子Ｔｏに書き込むようにしたが、例えばディスクＤに記録するメディア情報が多数のファイルからなる場合等、拡張属性情報等の容量が大きく無線タグ回路素子Ｔｏに書き込めない場合も考えられる。この場合、拡張属性情報等についてはＰＣ１００の記憶部１０３（又はデータサーバ２００）に格納しておき、これらの情報と相関付けられた識別情報（ＩＤ）を無線タグ回路素子Ｔｏに書き込むようにしてもよい。この場合にも上記実施形態と同様の効果を得ることができる。
【０１０３】
また、データサーバ２００から通信回線ＮＷを介してメディア情報を読み出す上記変形例（１）のように、ネットワークを介してデータをダウンロードする場合、ネットワークの情報通信速度によってはメディア情報のダウンロードに時間を要する場合も考えられる。このような場合において、メディア情報の更新がされている場合には、まずダウンロードに時間を要する旨を操作者に報知した上で、その後メディア情報の再生処理を行うようにしてもよい。なお、この場合において更新がされていない場合には、ディスクＤに記録されたメディア情報をそのまま読み出せばよい。
【０１０４】
また、以上においては、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｋ）等の光ディスクである記録媒体に対して光学的に情報を記録する場合を例にとって説明したが、これに限られず、磁気ディスクや光磁気方式のＭＯ（Ｍａｇｎｅｔｏ  Ｏｐｔｉｃａｌ  Ｄｉｓｋ）等の記録媒体に対して情報を記録する場合にも本発明は適用可能である。
【０１０５】
また、以上既に述べた以外にも、上記実施形態や各変形例による手法を適宜組み合わせて利用しても良い。
【０１０６】
その他、一々例示はしないが、本発明は、その趣旨を逸脱しない範囲内において、種々の変更が加えられて実施されるものである。
【図面の簡単な説明】
【０１０７】
【図１】本発明の一実施形態の記録再生装置を含むメディア記録再生システム全体を表すシステム構成図である。
【図２】メディア記録再生システムを構成するＰＣ及び記録再生装置の詳細機能を表す機能ブロック図である。
【図３】高周波回路の詳細機能を表す機能ブロック図である。
【図４】ディスクに添付された無線タグ回路素子の機能的構成の一例を表すブロック図である。
【図５】ディスクへのメディア情報の記録の際に記録再生装置の制御回路によって実行される制御手順を表すフローチャートである。
【図６】記憶部に記憶されるテーブル情報の一例を示す図である。
【図７】ディスクに記録されたメディア情報を読み出す際に記録再生装置の制御回路によって実行される制御手順を表すフローチャートである。
【図８】ステップＳ２００の詳細手順を表すフローチャートである。
【図９】ネットワークに接続されたサーバにメディア情報を格納する場合の変形例における記録再生装置を含むメディア記録再生システム全体を表すシステム構成図である。
【図１０】ネットワークに接続されたサーバにメディア情報を格納する場合の変形例において、メディア記録再生システムを構成するＰＣ及び記録再生装置の詳細機能を表す機能ブロック図である。
【図１１】ネットワークに接続されたサーバにメディア情報を格納する場合の変形例において、ディスクへのメディア情報の記録の際に記録再生装置の制御回路によって実行される制御手順を表すフローチャートである。
【図１２】ネットワークに接続されたサーバにメディア情報を格納する場合の変形例において、記憶部に記憶されるテーブル情報の一例を示す図である。
【符号の説明】
【０１０８】
１５０      ＩＣ回路部
１５１      アンテナ（タグ側アンテナ）
３００      記録再生装置（記録装置、記録再生システム）
３０１      高周波回路（格納場所記録手段、権限記録手段）
３０２      制御回路（格納場所記録手段、権限記録手段、書き込み制御手段、格納場所取得手段、更新判定手段、記録対象情報取得手段、権限取得手段、再生制御手段）
３０２′    制御回路（格納場所記録手段、権限記録手段、書き込み制御手段、格納場所取得手段、更新判定手段、記録対象情報取得手段、権限取得手段、再生制御手段）
３０６      アンテナ（格納場所記録手段、権限記録手段、第１通信手段、第２通信手段）
３０７      メディア書き込み部（情報記録手段）
３０８      メディア読み出し部（情報再生手段）
Ｄ          ディスク（記録媒体）
Ｔｏ          無線タグ回路素子
【図１】
2008112351.tif 000003
【図２】
2008112351.tif 000004
【図３】
2008112351.tif 000005
【図４】
2008112351.tif 000006
【図５】
2008112351.tif 000007
【図６】
2008112351.tif 000008
【図７】
2008112351.tif 000009
【図８】
2008112351.tif 000010
【図９】
2008112351.tif 000011
【図１０】
2008112351.tif 000012
【図１１】
2008112351.tif 000013
【図１２】
2008112351.tif 000014